(57)【特許請求の範囲】
【請求項１】
所定の敷地に配置された複数のメータの検針値を、各メータに接続された中継機能を有する無線検針端末装置から、直接又は他の無線検針端末装置に中継させて無線収集端末装置へ伝送する無線検針システムの検針値収集方法であって、
無線収集端末装置との間で端末識別情報のやりとりができた無線検針端末装置を1段目の無線検針端末装置として特定する第１の工程と、ｋ段目（ｋは１以上の整数）の無線検針端末装置と端末識別情報のやりとりができた無線検針端末装置をｋ＋１段目の無線検針端末装置として特定する処理をｋの値をインクリメントしながら繰り返す第２の工程とにより、２段目以下の無線検針端末装置から１段目の無線検針端末装置に至る中継経路を設定し、１段目の無線検針端末装置の検針値については、直接受信して収集し、２段目以下の無線収集端末装置の検針値については、前記中継経路を介して受信して収集することを特徴とする無線検針システムの検針値収集方法。
【請求項２】
請求項１に記載された無線検針システムの検針値収集方法において、
第１の工程は、自分の端末識別情報が付加された端末情報要求電文をブロードキャストし、端末識別情報が付加された応答電文を返送してきた無線収集端末装置を１段目の無線検針端末装置として特定し、第２の工程は、ｋ段目（ｋは１以上の整数）の無線検針端末装置に、端末識別情報が付加された端末情報要求電文のブロードキャスト、及び返送された端末情報応答電文の受け渡しを指示し、渡された端末情報応答電文に付加された端末識別情報を有する無線検針端末装置をｋ＋１段目の無線検針端末装置として特定する処理をｋの値をインクリメントしながら繰り返すことを特徴とする無線検針システムの検針値収集方法。
【請求項３】
請求項２に記載された無線検針システムの検針値収集方法において、
ブロードキャストされる端末情報要求電文に付加される端末識別情報は、端末装置固有のＩＤ、及び検針対象メータ群を示すグループＩＤを含むことを特徴とする無線検針システムの検針値収集方法。
【請求項４】
請求項２に記載された無線検針システムの検針値収集方法において、
返送される端末情報応答電文にメータの検針値を付加することを特徴とする無線検針システムの検針値収集方法。
【発明の詳細な説明】
【技術分野】
【０００１】
本発明は、広大な敷地に配置された水道、ガス等のメータの検針値を無線通信回線経由で遠隔地点から集中的に検針可能な無線検針システムの検針値収集方法に関する。
【背景技術】
【０００２】
このような無線検針システムとして、ハンディターミナルに接続された無線収集端末装置（無線親機）が無線通信回線を介して、それぞれのメータに接続された無線検針端末装置（無線子機）から検針値を収集し、収集された検針値をハンディターミナルに送信するようにした検針システムがある（特許文献１参照）。
【０００３】
しかし、この検針システムでは、無線収集端末装置と無線検針端末装置とが直接無線通信を行うため、広大な敷地に設置されたメータを検針する場合、検針者はハンディターミナル及び無線収集端末装置を携帯して、電波の届く範囲内へ移動することが必要であることから、検針に時間及び手間がかかるという問題がある。また、電波の届く範囲内に立ち入ることができない場合には、検針することができないという問題がある。
【特許文献１】特開平４−６１４３２公報
【発明の開示】
【発明が解決しようとする課題】
【０００４】
本発明は、このような問題を解決するためになされたものであり、その目的は、所定の敷地に配置された複数のメータの検針値を、各メータに接続された無線検針端末装置から、無線通信回線を介して無線収集端末装置が収集する無線検針システムにおいて、無線収集端末装置からの電波の届かない無線検針端末装置に接続されているメータの検針を可能にすることである。
【課題を解決するための手段】
【０００５】
本発明は、所定の敷地に配置された複数のメータの検針値を、各メータに接続された中継機能を有する無線検針端末装置から、直接又は他の無線検針端末装置に中継させて無線収集端末装置へ伝送する無線検針システムの検針値収集方法であって、無線収集端末装置との間で端末識別情報のやりとりができた無線検針端末装置を1段目の無線検針端末装置として特定する第１の工程と、ｋ段目（ｋは１以上の整数）の無線検針端末装置と端末識別情報のやりとりができた無線検針端末装置をｋ＋１段目の無線検針端末装置として特定する処理をｋの値をインクリメントしながら繰り返す第２の工程とにより、２段目以下の無線検針端末装置から１段目の無線検針端末装置に至る中継経路を設定し、１段目の無線検針端末装置の検針値については、直接受信して収集し、２段目以下の無線収集端末装置の検針値については、前記中継経路を介して受信して収集することを特徴とする無線検針システムの検針値収集方法である。
【発明の効果】
【０００６】
本発明によれば、所定の敷地に配置された複数のメータの検針値を、各メータに接続された無線検針端末装置から、無線通信回線を介して無線収集端末装置が収集する無線検針システムにおいて、無線収集端末装置からの電波が届かない場所に設置されている無線検針端末装置に接続されているメータの検針が可能になる。
【発明を実施するための最良の形態】
【０００７】
以下、本発明の実施形態について図面を参照して説明する。
図１は、本発明の実施形態の無線検針システムを示す図であり、それぞれが所定の敷地内に設置され、水道メータやガスメータ（図示せず）が有線接続された複数の無線検針端末装置（無線子機）３と、それらのメータの検針値を敷地外から収集可能な無線収集端末装置（無線親機）２と、無線収集端末装置２に有線接続されたハンディターミナル１とからなる。
【０００８】
無線収集端末装置２、及び各無線検針端末装置３は、特定小電力無線回線を介して互いにデータ通信を行うことができる。また、各無線検針端末装置３はデータの中継機能を有している。
【０００９】
図１において、各無線検針端末装置３の参照符号である“３”の括弧内に記載されている参照符号の内、 “−（ハイフン）”の前の数字は無線収集端末装置２から見た段数を示し、“−（ハイフン）”の後の数字は、同一段数の無線検針端末装置３に付した番号を示す。この段数及び番号を決める手順については後述する。
【００１０】
段数が最も多い、即ち無線収集端末装置２から見て最下段（段数３）に位置する無線検針端末装置はその直上（段数２）に位置する無線検針端末装置と無線通信可能である。段数２に位置する無線検針端末装置は、その直下（段数３）に位置する無線検針端末装置及び直上（段数１）に位置する無線検針端末装置と無線通信可能である。段数１、即ち無線収集端末装置２から見て最上段に位置する無線検針端末装置は、無線収集端末装置２及び段数２に位置する無線検針端末装置と無線通信可能である。従って、例えば無線検針端末装置３（３−３）の検針値は、無線検針端末装置３（２−１）及び３（１−１）を経由して、無線収集端末装置２へ伝送される。
【００１１】
図２は無線収集端末装置２の構成を示すブロック図である。無線収集端末装置２は、制御部２１、それぞれが制御部２１に接続されたメモリ２２、シリアル通信インタフェース２３及び無線部２４、並びに電源部２５からなる。
【００１２】
制御部２１は、マイクロプロセッサを有しており、この無線収集端末装置全体の制御を行う。メモリ２２は、制御部２１が各種制御を実行するときに使用するプログラムや固定データが記憶されるＲＯＭ（ＥＥＰＲＯＭ、フラッシュメモリを含む）、制御部２１が各種制御を実行するときにプログラムやデータを一時的に記憶するＲＡＭなどからなる。シリアル通信インタフェース２３は、ハンディターミナル１との間でデータをシリアル通信するための手段である。無線部２４は、無線検針端末装置３との間で、特定小電力無線回線を介する無線通信を行うための手段である。電源部２５は、無線収集端末装置２の内部の各部に電力を供給するための手段である。
【００１３】
図３は無線検針端末装置３の構成を示すブロック図である。無線検針端末装置３は、制御部３１、それぞれが制御部３１に接続されたメモリ３２、無線部３３、及びメータインタフェース３４、並びに電源部３５からなる。
【００１４】
制御部３１は、マイクロプロセッサを有しており、この無線検針端末装置全体の制御を行う。メモリ３２は、制御部３１が各種制御を実行するときに使用するプログラムや固定データが記憶されるＲＯＭ（ＥＥＰＲＯＭ、フラッシュメモリを含む）、制御部３１が各種制御を実行するときにプログラムやデータを一時的に記憶するＲＡＭなどからなる。無線部３３は、無線収集端末装置２との間で、特定小電力無線回線を介する無線通信を行うための手段である。メータインタフェース３４は、メータ４との間でデータ通信を行うための手段である。電源部３５は、無線検針端末装置３の内部の各部に電力を供給するための手段である。
【００１５】
以上のように構成された無線検針システムの動作について、検針値の通信経路を設定する手順、その通信経路を介した検針値の収集手順の順に説明する。
【００１６】
図４は検針値の通信経路を設定する手順を示すシーケンス図である。この手順は図１に示されている各無線検針端末装置３の段数及び各段に位置する無線検針端末装置の番号を決める手順であり、図５〜７は、その手順の開始前と途中の段階の段数及び番号を示す図である。
【００１７】
図４の手順を実行する前は、図５に示すように、敷地内の各無線検針端末装置３には、段数及び番号が付されていない。この状態で、検針者がハンディターミナル１の操作部から、端末情報要求電文を送信するための指示を入力すると、ハンディターミナル１は無線収集端末装置２に対し、端末情報要求電文を送信する（手順Ｓ１）。端末情報要求電文を受信した無線収集端末装置２は、端末情報要求電文をブロードキャストする（手順Ｓ２）。
【００１８】
この端末情報要求電文には、無線収集端末装置２の無線識別ＩＤ（端末ＩＤ）、グループＩＤ、検針番号、及び無線監視短縮時間などが付加されている。ここで、無線識別ＩＤは、無線収集端末装置２に固有のＩＤであり、グループＩＤは検針業者などを特定するためのＩＤであり、いずれもメモリ２２のＲＯＭに保存されている。検針番号は今回の検針を示す番号である。無線監視短縮時間は、無線検針端末装置３の間欠受信周期の短縮指示値である。
【００１９】
無線収集端末装置２からブロードキャストされた端末情報要求電文は、その電波が届く範囲内に設置されている無線検針端末装置３により受信される。ここでは、Ｘ台の無線検針端末装置３により受信されたものとする。端末情報要求電文を受信した無線検針端末装置３は、その電文に付加されているグループＩＤと、予めメモリ３２のＲＯＭに保存されているグループＩＤとの一致を確認した後に、電文に付加されている検針番号をメモリ３２のＲＡＭに記憶するとともに、端末情報応答電文を無線収集端末装置２に送信する（手順Ｓ３）。この端末情報応答電文には、無線検針端末装置３の無線識別ＩＤが付加される。このように、検針番号を記憶し、検針が完了するまで若しくは一定時間保持し、同一検針番号による端末情報要求電文に応答しないことにより、経路の重複及び通信のループを防止する。
【００２０】
無線収集端末装置２は、Ｘ台の無線検針端末装置３からの端末情報応答電文を受信し（手順Ｓ４）、それらをハンディターミナル１へ送信する（手順Ｓ５）。ハンディターミナル１は、端末情報応答電文を受信するとともに、それに付加されている無線識別ＩＤを用いて、通信経路情報を作成する（手順Ｓ６）。ここでは、Ｘ＝２であり、図６に示すように、２台の無線検針端末装置３（１−１〜２）を１段目の無線検針端末装置と特定し、ハンディターミナル１内のメモリ（図示せず）に保存する。２台の番号は、例えば無線収集端末装置２における端末情報応答電文の受信順に付与することができる。また、この通信経路情報は、無線収集端末装置２内のメモリ２２にも保存してもよい。
【００２１】
ハンディターミナル１では、作成した通信経路情報に基づいて、ＬＣＤ表示部に１段目の無線検針端末装置３（１−１〜Ｘ）の無線識別ＩＤの一覧を表示する。
【００２２】
次いで検針者は、ハンディターミナル１の操作部から、一覧表の中の１段目の任意の無線検針端末装置を指定する操作を入力する（手順Ｓ７）。この操作は、１段目の無線検針端末装置３（１−１〜Ｘ）の下段に位置する無線検針端末装置を検索するための操作であり、手順Ｓ７から始まり、指定された１台の無線検針端末装置の下段に位置する無線検針端末装置の検索結果が得られる手順Ｓ１５までを、１段目の無線検針端末装置３（１−１〜Ｘ）の総数であるＸ回繰り返す。
【００２３】
ハンディターミナル１は、無線収集端末装置２に対して、端末情報検索要求電文を送信する（手順Ｓ８）。この端末情報検索要求電文は、指定された１段目の無線検針端末装置３（１−１〜Ｘ）に対し、その下段に位置する無線検針端末装置に対して端末情報を要求させるための電文であって、指定された１段目の無線検針端末装置３（１−１〜Ｘ）の無線識別ＩＤ、グループＩＤ、検針番号、及び無線監視短縮時間などが付加されている。
【００２４】
端末情報検索要求電文を受信した無線収集端末装置２は、その電文に付加されている無線識別ＩＤ、即ち検針者に指定された１段目の無線検針端末装置３に、端末情報検索要求電文を送信する（手順Ｓ９）。この端末情報検索要求電文には、送信元ＩＤである無線収集端末装置２の無線識別ＩＤ、グループＩＤ、検針番号、及び宛先ＩＤである指定された１段目の無線検針端末装置の無線識別ＩＤが付加されている。
【００２５】
端末情報検索要求電文を受信した１段目の無線検針端末装置は、受信した端末情報検索要求電文中の宛先ＩＤが自分のＩＤと一致すること、グループＩＤ及び検針番号が先に手順Ｓ３で保存したものと一致することを確認した後に、端末情報要求電文をブロードキャストする（手順Ｓ１０）。この端末情報要求電文には、送信元ＩＤである１段目の無線検針端末装置の無線識別ＩＤ、グループＩＤ、及び検針番号が付加されている。
【００２６】
この端末情報要求電文は、その電波が届く範囲に設置されている無線検針端末装置により受信される。ここでは、１段目のＸ台の無線検針端末装置３（１−１〜Ｘ）からの端末情報要求電文がＹ台の２段目の無線検針端末装置３（２−１〜Ｙ）により受信されたものとする。
【００２７】
無線検針端末装置３（２−１〜Ｙ）は、受信した端末情報要求電文に付加されているグループＩＤと、予めメモリ３２のＲＯＭに保存されているグループＩＤとの一致を確認した後に、電文に付加されている検針番号をメモリ３２のＲＡＭに記憶するとともに、端末情報応答電文を１段目の無線検針端末装置３（１−１〜Ｘ）に送信する（手順Ｓ１１）。この端末情報応答電文には、送信元の無線検針端末装置３（２−１〜Ｙ）の無線識別ＩＤが付加されている。
【００２８】
無線検針端末装置３（１−１〜Ｘ）は、無線検針端末装置３（２−１〜Ｙ）からの端末情報応答電文を受信し（手順Ｓ１２）、それらを無線収集端末装置２へ送信する（手順Ｓ１３）。
【００２９】
無線収集端末装置２は、受信した端末情報応答電文をハンディターミナル１へ送信する（手順Ｓ１４）。ハンディターミナル１は、端末情報応答電文を受信するとともに、それに付加されている無線識別ＩＤを用いて、通信経路情報を作成する（手順Ｓ１５）。ここでは、Ｙ＝５であり、図７に示すように、１段目の無線検針端末装置３（１−１）の下段に１台の２段目の無線検針端末装置３（２−１）が存在することを特定し、１段目の無線検針端末装置３（１−２）の下段に４台の２段目の無線検針端末装置３（２−３〜５）の存在を特定し、ハンディターミナル１内のメモリ（図示せず）に保存する。
【００３０】
ハンディターミナル１では、作成した通信経路情報に基づいて、ＬＣＤ表示部に１段目、２段目の無線検針端末装置３（２−１〜Ｙ）の無線識別ＩＤの一覧を表示する。
【００３１】
次いで、検針者は手順Ｓ７と同様に、ハンディターミナル１の操作部から、一覧表の中の２段目の任意の無線検針端末装置を指定する操作を入力する（手順Ｓ１６）。この操作は、２段目の無線検針端末装置３（２−１〜Ｙ）の下段に位置する無線検針端末装置を検索するための操作であり、その手順Ｓ１６から始まり、指定された１台の無線検針端末装置の下段に位置する無線検針端末装置の検索結果が得られる手順Ｓ２６までを、２段目の無線検針端末装置の台数であるＹ回繰り返す。
【００３２】
ハンディターミナル１は、無線収集端末装置２に対して、端末情報検索要求電文を送信する（手順Ｓ１７）。この端末情報検索要求電文は、指定された２段目の無線検針端末装置に対し、その下段に位置する無線検針端末装置に対して端末情報を要求させるための電文であって、指定された２段目の無線検針端末装置の無線識別ＩＤ、その経路となる１段目の無線検針端末装置の無線識別ＩＤ、グループＩＤ、検針番号、及び無線監視短縮時間などが付加されている。
【００３３】
この端末情報検索要求電文は、無線収集端末装置２から、１段目の無線検針端末装置３（１−１〜Ｘ）へ送信され、さらに指定された２段目の無線検針端末装置３（２−１〜Ｙ）へ送信される（手順Ｓ１８、Ｓ１９）。
【００３４】
端末情報検索要求電文を受信した２段目の無線検針端末装置３（２−１〜Ｙ）は、受信した端末情報検索要求電文中の宛先ＩＤが自分のＩＤと一致すること、グループＩＤ及び検針番号が先に手順Ｓ１１で保存したものと一致することを確認した後に、端末情報要求電文をブロードキャストする（手順Ｓ２０）。この端末情報要求電文には、送信元ＩＤである２段目の無線検針端末装置３（２−１〜Ｙ）の無線識別ＩＤ、グループＩＤ、及び検針番号が付加されている。
【００３５】
この端末情報要求電文は、その電波が届く範囲に設置されている無線検針端末装置により受信される。ここでは、２段目のＹ台の無線検針端末装置３（２−１〜Ｙ）からの端末情報要求電文が３段目のＺ台の無線検針端末装置３（３−１〜Ｚ）により受信される。
【００３６】
無線検針端末装置３（３−１〜Ｚ）は、受信した端末情報要求電文に付加されているグループＩＤと、予めメモリ３２のＲＯＭに保存されているグループＩＤとの一致を確認した後に、電文に付加されている検針番号をメモリ３２のＲＡＭに記憶するとともに、端末情報応答電文を２段目の無線検針端末装置に送信する（手順Ｓ２１）。この端末情報応答電文には、送信元の無線検針端末装置の無線識別ＩＤが付加されている。
【００３７】
無線検針端末装置３（２−１〜Ｙ）は、無線検針端末装置３（３−１〜Ｚ）からの端末情報応答電文を受信し（手順Ｓ２２）、それらを１段目のＸ台の無線検針端末装置３（１−１〜Ｘ）へ送信する（手順Ｓ２３）。端末情報応答電文を受信した１段目のＸ台の無線検針端末装置３（１−１〜Ｘ）は、それを無線収集端末装置２へ送信する（手順Ｓ２４）。
【００３８】
無線収集端末装置２は、受信した端末情報応答電文をハンディターミナル１へ送信する（手順Ｓ２５）。ハンディターミナル１は、端末情報応答電文を受信するとともに、それに付加されている無線識別ＩＤを用いて、通信経路情報を作成する（手順Ｓ２６）。ここでは、Ｚ＝３であり、図１に示すように、２段目の無線検針端末装置３（２−１）の下段に３台の３段目の無線検針端末装置３（３−１〜３）が存在することを特定し、ハンディターミナル１内のメモリに保存する。
【００３９】
以上のようにして設定した通信経路を介して検針値を収集する手順について、図８のシーケンス図を参照しながら説明する。
この図に示されているように、検針値を収集する手順は、１段目の無線検針端末装置の検針手順、２段目の無線検針端末装置の検針手順、３段目の無線検針端末装置の検針手順からなり、検針者がハンディターミナル１の操作部から検針実行の指示を入力すると、１段目、２段目、３段目の順に検針が自動的に実行される。
【００４０】
１段目の検針の際は、ハンディターミナル１が無線収集端末装置２に対し、１段目の無線検針端末３（１−１〜Ｘ）に接続されているメータの検針値を要求する検針値要求電文を送信する（手順Ｓ３１）。検針値要求電文を受信した無線収集端末装置２は、１段目の無線検針端末装置３（１−１〜Ｘ）に対し、順次検針値要求電文を送信する（手順Ｓ３２）。
【００４１】
検針要求電文を受信した無線検針端末装置３（１−１〜Ｘ）は、メータの検針値を取得し（手順Ｓ３３）、検針値応答電文に付加して無線収集端末装置２へ送信する（手順Ｓ３４）。無線収集端末装置２は、受信した検針値応答電文をハンディターミナル１へ送信する（手順Ｓ３５）。ハンディターミナル１は、受信した検針値応答電文中の検針値を内蔵するメモリに保存する。手順Ｓ３１〜Ｓ３５をＸ回繰り返すことで、１段目の検針が終了する。
【００４２】
２段目の検針の際は、１段目の無線検針端末装置３（１−１〜Ｘ）が検針値要求電文及び検針値応答電文を中継する。
まず、ハンディターミナル１が無線収集端末装置２に対し、２段目の無線検針端末３（２−１〜Ｙ）に接続されているメータの検針値を要求する検針値要求電文を送信する（手順Ｓ３６）。検針要求電文を受信した無線収集端末装置２は、１段目の無線検針端末装置３（１−１〜Ｘ）に対し、順次検針値要求電文を送信する（手順Ｓ３７）。検針要求電文を受信した無線検針端末装置３（１−１〜Ｘ）は、２段目の無線検針端末装置３（２−１〜Ｙ）に対し、順次検針値要求電文を送信する（手順Ｓ３８）。
【００４３】
検針要求電文を受信した２段目の無線検針端末装置３（１−１〜Ｙ）は、メータの検針値を取得し（手順Ｓ３９）、検針値応答電文に付加して１段目の無線検針端末装置３（１−１〜Ｘ）へ送信する（手順Ｓ４０）。検針値応答電文は、１段目の無線検針端末装置３（１−１〜Ｘ）により無線収集端末装置２へ中継され、ハンディターミナル１へ伝送される（手順Ｓ４１、Ｓ４２）。ハンディターミナル１は、受信した検針値応答電文中の検針値を内蔵するメモリに保存する。手順Ｓ３６〜Ｓ４２をＹ回繰り返すことで、２段目の検針が終了する。
【００４４】
３段目の検針の際は、１段目の無線検針端末装置３（１−１〜Ｘ）及び２段目の無線検針端末装置３（２−１〜Ｙ）が検針値要求電文及び検針値応答電文を中継する。
【００４５】
まず、ハンディターミナル１が無線収集端末装置２に対し、３段目の無線検針端末装置３（３−１〜Ｚ）に接続されているメータの検針値を要求する検針値要求電文を送信する（手順Ｓ４３）。
【００４６】
この検針値要求電文は、無線収集端末装置２→１段目の無線検針端末装置３（１−１〜Ｘ）→２段目の無線検針端末装置３（２−１〜Ｙ）→３段目の無線検針端末装置３（３−１〜Ｚ）の通信経路により、３段目の無線検針端末装置３（３−１〜Ｚ）まで届けられる（手順Ｓ４４〜Ｓ４６）。
【００４７】
検針要求電文を受信した３段目の無線検針端末装置３（１−１〜Ｚ）は、メータの検針値を取得し（手順Ｓ４７）、検針値応答電文に付加して２段目の無線検針端末装置３（２−１〜Ｙ）へ送信する（手順Ｓ４８）。検針値応答電文は、２段目の無線検針端末装置３（２−１〜Ｙ）により１段目の無線検針端末装置３（１−１〜Ｘ）に中継され、１段目の無線検針端末装置３（１−１〜Ｘ）により無線収集端末装置２へ中継され、ハンディターミナル１へ伝送される（手順Ｓ４９〜Ｓ５１）。ハンディターミナル１は、受信した検針値応答電文中の検針値を内蔵するメモリに保存する。手順Ｓ４３〜Ｓ５１をＺ回繰り返すことで、３段目の検針が終了する。
【００４８】
次回の検針を行うときは、ハンディターミナル１のメモリに保存した通信経路情報を用いて、検針を実行することができる。
【００４９】
本発明の実施形態の無線検針システムによれば、広大な敷地に設置されている同一グループＩＤを持つ無線検針端末装置からの検針値を、各無線検針端末装置の設置場所付近まで行かずに取得することができる。
【００５０】
なお、上記実施形態では、ハンディターミナル１と無線収集端末装置２とをシリアル通信インタフェースを介して有線接続したが、無線接続にしてもよい。また、ハンディターミナル１に無線収集端末装置２を内蔵させた一体型にしてもよい。さらに、端末情報応答電文に検針値を付加することにより、作業時間を短縮することもできる。また、メータの検針に限らず、ガス漏れ警報機等の接点情報の取得も可能である。また、無線収集端末装置２を公衆通信回線を介してセンタ装置に接続してもよい。この場合、無線検針端末装置３を無線収集端末装置２と無線縁組を行わずに任意の場所に設置しても、センタ装置にて通信経路情報を取得して、自動遠隔検針を行うことができる。
【図面の簡単な説明】
【００５１】
【図１】本発明の実施形態の無線検針システムを示す図である。
【図２】図１の無線収集端末装置の構成を示すブロック図である。
【図３】図１の無線検針端末装置の構成を示すブロック図である。
【図４】本発明の実施形態の無線検針システムにおいて、検針値の伝送経路を設定する手順を示すシーケンス図である。
【図５】図４の手順の開始前の状態を示す図である。
【図６】図４の手順の途中の段階で決まった段数及び番号を示す図である。
【図７】図４の手順の途中の段階で決まった段数及び番号を示す図である。
【図８】本発明の実施形態の無線検針システムにおいて、設定された通信経路を介した検針値の収集手順を示すシーケンス図である。
【符号の説明】
【００５２】
１・・・ハンディターミナル、２・・・無線収集端末装置、３・・・無線検針端末装置、４・・・メータ、２１，３１・・・制御部、２４，３３・・・無線部。
【図１】
0005146910.tif 000002
【図２】
0005146910.tif 000003
【図３】
0005146910.tif 000004
【図４】
0005146910.tif 000005
【図５】
0005146910.tif 000006
【図６】
0005146910.tif 000007
【図７】
0005146910.tif 000008
【図８】
0005146910.tif 000009